(57)【特許請求の範囲】
【請求項１】
複数の画面を有する端末装置であって、
前記複数の画面の個々に対するスライド操作を検出するスライド操作検出手段と、
前記スライド操作検出手段によりスライド操作が検出された場合に、そのスライド方向に他の画面が存在しているかを判別する判別手段と、
前記複数の画面に複数頁分の表示情報が頁順に割り当て表示されている状態において、前記判別手段による判別の結果、前記操作画面からスライド方向に他の画面が存在していないと判別された場合に、前記複数の画面に対して１画面分の頁送りを指示し、他の画面が存在していると判別された場合に、そのスライド方向に存在する他の画面の数を加味した頁数分の頁送りを前記複数の画面に対して指示する表示制御を行う表示制御手段と、
を備えたことを特徴とする端末装置。
【請求項２】
前記スライド操作検出手段は、個々の画面に対するスライド操作を検出する場合に、単一のスライド操作か行われたのか同時に複数のスライド操作が行われたのかを検出し、
前記表示制御手段は、前記スライド操作検出手段により同時に複数のスライド操作が行われたことが検出された場合に、該スライド操作の数に応じた回数分の表示制御を所定の時間間隔で連続的に繰り返し実行する、
ようにしたことを特徴とする請求項１記載の端末装置。
【請求項３】
前記複数の画面は、独立した複数の表示部からなる、
ようにしたことを特徴とする請求項１記載の端末装置。
【請求項４】
前記複数の画面は、単一の表示部を複数に分割した画面からなる、
ようにしたことを特徴とする請求項１記載の端末装置。
【請求項５】
前記複数の画面は、各画面の上にタッチパネルをそれぞれ配設することにより構成されたタッチ画面であり、
前記スライド操作検出手段は、前記複数のタッチ画面の個々に対するスライド操作を検出する、
ようにしたことを特徴とする請求項１記載の端末装置。
【請求項６】
コンピュータに対して、
前記複数の画面の個々に対するスライド操作を検出する機能と、
前記スライド操作が検出された場合に、そのスライド方向に他の画面が存在しているかを判別する機能と、
前記複数の画面に複数頁分の表示情報が頁順に割り当て表示されている状態において、前記判別結果に応じて、前記操作画面からスライド方向に他の画面が存在していないと判別された場合に、前記複数の画面に対して１画面分の頁送りを指示し、他の画面が存在していると判別された場合に、そのスライド方向に存在する他の画面の数を加味した頁数分の頁送りを前記複数の画面に対して指示する表示制御を行う機能と、
を実現させるためのプログラム。
【発明の詳細な説明】
【技術分野】
【０００１】
本発明は、複数の画面を有する端末装置及びプログラムに関する。
【背景技術】
【０００２】
近年、携帯電話機などの端末装置にあっては、その高機能化に伴って複数の表示部を備えることで大画面化を実現化するようにしている。このようにして複数の表示部を備えることで大画面化を図る技術として、従来では、例えば、テキストや画像などの情報を複数の画面に表示させている状態において、画面順送り操作や画面逆送り操作に応じて画面内容を切り替え表示するようにした端末装置が知られている（特許文献１参照）。
【先行技術文献】
【特許文献】
【０００３】
【特許文献１】特開２００８−２１７６４７号公報
【発明の概要】
【発明が解決しようとする課題】
【０００４】
しかしながら、上述した先行技術にあっては、画面送り用として各種の操作子を必要とするために、画面の面積が小さくなってしまうという問題がある。また、画面の表面に透明なタッチパネルを積層配設して成るタッチスクリーンを備えたものにあっては、画面送り用の操作子を不要とすることができ、直感的な操作が可能となるため、端末装置などに広く利用されているが、送り操作を画面毎に行う必要があり、面倒であるほか、複数ページ分の情報がページ毎に複数の画面に跨って割り当て表示されている場合に、ある画面に対しては送り操作を行ったとしても、他の画面に対しては送り操作を忘れてしまうと、各画面間でのページの一連性がなくなってしまうという問題があった。
【０００５】
本発明の課題は、複数の画面に対する適切な表示制御を直感的で簡単な操作により実現できるようにすることである。
【課題を解決するための手段】
【０００６】
上述した課題を解決するために請求項１記載の発明は、
複数の画面を有する端末装置であって、
前記複数の画面の個々に対するスライド操作を検出するスライド操作検出手段と、
前記スライド操作検出手段によりスライド操作が検出された場合に、そのスライド方向に他の画面が存在しているかを判別する判別手段と、
前記複数の画面に複数頁分の表示情報が頁順に割り当て表示されている状態において、前記判別手段による判別の結果、前記操作画面からスライド方向に他の画面が存在していないと判別された場合に、前記複数の画面に対して１画面分の頁送りを指示し、他の画面が存在していると判別された場合に、そのスライド方向に存在する他の画面の数を加味した頁数分の頁送りを前記複数の画面に対して指示する表示制御を行う表示制御手段と、
を備えたことを特徴とする。
【０００９】
請求項１に従属する発明として、
前記スライド操作検出手段は、個々の画面に対するスライド操作を検出する場合に、単
一のスライド操作か行われたのか同時に複数のスライド操作が行われたのかを検出し、
前記表示制御手段は、前記スライド操作検出手段により同時に複数のスライド操作が行
われたことが検出された場合に、該スライド操作の数に応じた回数分の表示制御を所定の
時間間隔で連続的に繰り返し実行する、
ようにしたことを特徴とする、請求項２記載の発明であってもよい。
【００１０】
請求項１に従属する発明として、
前記複数の画面は、独立した複数の表示部からなる、
ようにしたことを特徴とする、請求項３記載の発明であってもよい。
【００１１】
請求項１に従属する発明として、
前記複数の画面は、単一の表示部を複数に分割した画面からなる、
ようにしたことを特徴とする、請求項４記載の発明であってもよい。
【００１２】
請求項１に従属する発明として、
前記複数の画面は、各画面の上にタッチパネルをそれぞれ配設することにより構成され
たタッチ画面であり、
前記スライド操作検出手段は、前記複数のタッチ画面の個々に対するスライド操作を検
出する、
ようにしたことを特徴とする、請求項５記載の発明であってもよい。
【００１３】
また、上述した課題を解決するために請求項６記載の発明は、
コンピュータに対して、
前記複数の画面の個々に対するスライド操作を検出する機能と、
前記スライド操作が検出された場合に、そのスライド方向に他の画面が存在しているかを判別する機能と、
前記複数の画面に複数頁分の表示情報が頁順に割り当て表示されている状態において、前記判別結果に応じて、前記操作画面からスライド方向に他の画面が存在していないと判別された場合に、前記複数の画面に対して１画面分の頁送りを指示し、他の画面が存在していると判別された場合に、そのスライド方向に存在する他の画面の数を加味した頁数分の頁送りを前記複数の画面に対して指示する表示制御を行う機能と、
を実現させるためのプログラム、であることを特徴とする。
【発明の効果】
【００１４】
本発明によれば、複数の画面に対する適切な表示制御を直感的で簡単な操作により実現することができ、実用性に富んだものとなる。
【図面の簡単な説明】
【００１５】
【図１】端末装置の基本的な構成要素を示したブロック図。
【図２】２つの筐体１１Ａ、１１Ｂを開いた状態を示した外観図。
【図３】横開き状態（縦向き状態）の２つのタッチ画面ＴＤ１、ＴＤ２上でスライド操作が行われた場合に、そのスライド操作に応じて実行される表示制御を説明するための図。
【図４】縦開き状態（横向き状態）の２つのタッチ画面ＴＤ１、ＴＤ２上でスライド操作が行われた場合に、そのスライド操作に応じて実行される表示制御を説明するための図。
【図５】動作テーブルＴＢを説明するための図。
【図６】電源投入に応じて実行開始される端末装置の全体動作の概要を示したフローチャート。
【図７】実施形態の変形例を示し、３つのタッチ画面ＴＤ１、ＴＤ２、ＴＤ３を開いた状態を示した外観図。
【図８】横開き状態（縦向き状態）の３つのタッチ画面ＴＤ１、ＴＤ２、ＴＤ３上でスライド操作が行われた場合に、そのスライド操作に応じて実行される表示制御を説明するための図。
【図９】実施形態の変形例を示し、単一の表示部５を分割して複数のタッチ画面を構成した場合を示した図。
【発明を実施するための形態】
【００１６】
図１〜図６を参照して本発明の実施形態を説明する。
図１は、端末装置の基本的な構成要素を示したブロック図である。
端末装置は、例えば、長方体の２つの筐体を折り畳み自在に取り付けた折り畳みタイプの端末装置（例えば、携帯電話機）で、複数の画面を有している。制御部１は、二次電池などを備えた電源部２からの電力供給によって動作し、記憶部３内の各種のプログラムに応じてこの端末装置の全体動作を制御するもので、この制御部１には図示しないＣＰＵ（中央演算処理装置）やメモリなどが設けられている。記憶部３は、ＲＯＭ、ＲＡＭなどの内部メモリで、図示しないプログラム領域とデータ領域とを有し、この記憶部３内のプログラム領域には、後述する図６に示す動作手順に応じて本実施形態を実現するためのプログラムが格納されている。
【００１７】
また、記憶部３内のデータ領域には、各種のフラグ情報、端末装置の動作に必要な各種の情報が記憶されているほか、後述する動作テーブルＴＢが記憶されている。なお、記憶部３は、例えば、ＳＤカード、ＩＣカードなど、着脱自在な可搬型メモリ（記録メディア）を含む構成であってもよく、あるいは図示しない所定の外部サーバ上に記憶部３が有する構成であってもよい。押釦操作部４は、ダイヤル入力、文字入力、コマンド入力などを行う押釦式の各種のキーを有するもので、制御部１は、この押釦操作部４からの操作信号に応じて各種の処理を実行する。
【００１８】
表示部５は、例えば、高精細液晶あるいは有機ＥＬを使用し、例えば、待受画像、アイコン、日時情報のほか、テキストデータなどを表示するもので、その表示パネルの表面には、指の接触を検出する接触操作部（透明な接触センサ、タッチパネル）６を積層配設することによってタッチスクリーン（タッチ画面）が構成されている。ここで、本実施形態では、物理的に異なる２つの独立した表示部５を設け、各表示部５の表面略全域に接触操作部（透明なタッチセンサ、タッチパネル）６を積層配設することにより、２つの独立したタッチ画面ＴＤ１、ＴＤ２を構成するようにしている。接触操作部６は、タッチ画面ＴＤ１、ＴＤ２への接触操作（タッチ操作）が行われた際に、そのタッチ操作の検出結果を制御部１に与えるもので、静電容量方式でも抵抗膜方式でもよく、また、接触の他に操作器具や指の押し込み（押圧）を検出可能する圧電方式であってもよいが、本実施形態では、人体接触を検出する静電容量方式を使用している。
【００１９】
向き検出部７は、例えば、３軸タイプの加速度センサを有し、長方体の端末筐体がどちらの方向を向いているかを検出するもので、重力方向に対する端末筐体の傾きや振動に基づいて端末筐体が縦長の状態に向いているか（縦向きか）、横長の状態に向いているか（横向きか）を検出するようにしている。すなわち、向き検出部７は、長方体の端末筐体全体が縦長となるような縦向きの状態であるか、端末筐体全体が横長となるような横向きの状態であるかを検出するもので、制御部１は、その検出結果に基づいてタッチ画面ＴＤ１、ＴＤ２の表示内容が端末筐体の向きに応じたものとなるようにその表示状態を変更するようにしている。
【００２０】
図２は、２つの筐体１１Ａ、１１Ｂを開いた状態を示した外観図である。
長方体の２つの筐体１１Ａ、１１Ｂは、ヒンジ部１２を介して折り畳み自在（開閉自在）に連結されており、それらの内面側の略全域には同形同大（長方形）のタッチ画面ＴＤ１、ＴＤ２が１つずつ配設されている。図２（１）は、２つの縦長の筐体１１Ａ、１１Ｂが横並びとなるように開いた状態（横開き状態）、つまり、端末筐体全体が横長となるような縦向きにした状態を示し、この縦向き状態（横開き状態）では、２つのタッチ画面ＴＤ１、ＴＤ２が互いに接近（近接）した横並び状態（横開き状態）となる。この場合、図示のようにタッチ画面ＴＤ１が左側に、タッチ画面ＴＤ２が右側にそれぞれ位置する配列状態となる。
【００２１】
図２（２）は、図２（１）の状態において端末筐体全体を９０°回転させた状態であり、２つの横長の筐体１１Ａ、１１Ｂが縦並びとなるように開いた状態（縦開き状態）、つまり、端末筐体全体が縦長となるような横向きにした状態を示している。この横向き状態（縦開き状態）では、２つのタッチ画面ＴＤ１、ＴＤ２が互いに接近（近接）した縦並び状態（縦開き状態）となる。この場合、図示のようにタッチ画面ＴＤ１が上側に、タッチ画面ＴＤ２が下側にそれぞれ位置する配列状態となる。
【００２２】
図３は、横開き状態（縦向き状態）の２つのタッチ画面ＴＤ１、ＴＤ２に複数頁分の表示情報が頁順に割り当て表示されている状態において、タッチ画面ＴＤ１、ＴＤ２上でタッチ操作（スライド操作）が行われた場合に、そのスライド操作に応じて実行される表示制御を説明するための図である。この図３に示した表示制御は、タッチ画面ＴＤ１、ＴＤ２上でのスライド操作に応じて実行される各種の表示制御を記憶する動作テーブルＴＢ（後述する）の記憶内容の一部に対応している。なお、タッチ画面ＴＤ１、ＴＤ２同士は、図２で示したように僅かに離れているが、図３においては図面の簡素化を図るためにタッチ画面ＴＤ１、ＴＤ２を隣接させた状態を示している。
【００２３】
図３（１）は、複数頁分の表示情報（テキストや画像など）を示し、図示の番号は、“１”から始まる頁数を示している。ここで、スライド操作とは、人体接触であれば、タッチ画面ＴＤ１、ＴＤ２のいずれかの上を指で接触しながら移動する操作を意味し、タッチ画面ＴＤ１、ＴＤ２上を単に接触するタッチ操作とは区別している。また、スライド操作の種類としては、タッチ画面ＴＤ１からタッチ画面ＴＤ２（図中、左方向から右方向）に向かうスライド操作（順方向への送り操作）と、タッチ画面ＴＤ２からタッチ画面ＴＤ１（図中、右方向から左方向）に向かうスライド操作（逆方向への送り操作）とがあり、更に、２本の指で同時に行う複数のスライド操作（マルチタッチのスライド操作）と、１本の指で行う単一のスライド操作（シングルタッチのスライド操作）とがある。
【００２４】
制御部１は、タッチ画面ＴＤ１、ＴＤ２へのスライド操作を検出すると、スライド操作されたタッチ画面を操作画面として特定すると共に、その操作画面からのスライド方向に他の画面が存在しているか否かを判別するようにしている。そして、制御部１は、スライド操作が行われた際に、複数のタッチ画面（本実施形態では２画面）に対して、上述の判別結果に応じて、複数のタッチ画面ＴＤ１、ＴＤ２画面に対して異なる表示制御を行うようにしている。すなわち、タッチ画面ＴＤ１、ＴＤ２に複数頁分の表示情報が頁順に割り当て表示されている状態において、制御部１は、操作画面からスライド方向に他の画面が存在していない場合に、タッチ画面ＴＤ１、ＴＤ２に対して１画面分の頁送りを指示する表示制御を行うようにしている（後で図３（２）を参照して詳述する）。
【００２５】
また、制御部１は、操作画面からスライド方向に他の画面が存在している場合に、そのスライド方向に存在する他の画面の数を加味した頁数分（他の画面数＋１）の頁送りを、タッチ画面ＴＤ１、ＴＤ２に対して指示する表示制御を行うようにしている（後で図３（３）を参照して詳述する）。また、同時に複数のスライド操作（マルチタッチ操作）が行われた場合には、そのスライド操作の数に応じた回数分の表示制御を所定の時間間隔で連続的に繰り返し実行する表示制御を行うようにしている（後述で図３（４ａ）、（４ｂ）を参照して詳述する）。
【００２６】
この場合、図３（４ａ）は、上述した図３（２）と同様に、操作画面からスライド方向に他の画面が存在していない場合の表示制御を示し、図３（４ｂ）は、上述した図３（３）と同様に、操作画面からスライド方向に他の画面が存在している場合の表示制御を示している。なお、このようなマルチタッチ操作は、例えば、スライドショー形式によって複数の画像を順次切り替え表示させる場合に、５秒間隔毎に自動的に順次切り替え表示させる場合に利用されたり、電子ブックの各頁のテキスト情報を予め任意に設定した時間間隔（例えば、５分間隔）毎に自動的に順次切り替え表示させる場合に利用されたりする。
【００２７】
図４は、上述の図３が横開き状態（縦向き状態）の場合での表示制御であるのに対して、縦開き状態（横向き状態）の場合での表示制御を説明するための図である。すなわち、２つのタッチ画面ＴＤ１、ＴＤ２に複数頁分の表示情報が頁順に割り当て表示されている状態において、タッチ画面ＴＤ１、ＴＤ２上でスライド操作（図中、上下方向へのスライド操作）が行われた場合に、そのスライド操作に応じた表示制御を説明するための図であり、動作テーブルＴＢの記憶内容の一部に対応している。なお、縦開き状態（横向き状態）での表示制御も基本的には横開き状態（縦向き状態）での表示制御と同様であるが、順方向への操作は、上方向から下方向のへのスライド操作を示し、逆方向への操作は、下方向から上方向のへのスライド操作を示している。
【００２８】
図４（１）は、上述した図３（１）と同様に複数頁分の表示情報（テキストや画像など）を示している。図４（２）は、上述した図３（２）に対応する表示制御を説明するための図で、操作画面からスライド方向に他の画面が存在していない場合には、タッチ画面ＴＤ１、ＴＤ２に対して１画面分の頁送りを指示する表示制御を行うようにしている。図４（３）は、上述した図３（３）に対応する表示制御を説明するための図で、操作画面からスライド方向に他の画面が存在している場合には、そのスライド方向に存在する他の画面の数を加味した頁数分（他の画面数＋１）の頁送りを、タッチ画面ＴＤ１、ＴＤ２に対して指示する表示制御を行うようにしている。図４（４ａ）、（４ｂ）は、図３（４ａ）、（４ｂ）に対応する表示制御を説明するための図で、同時に複数のスライド操作（マルチタッチ操作）が行われた場合には、そのスライド操作の数に応じた回数分の表示制御を所定の時間間隔で連続的に繰り返し実行する表示制御を行うようにしている。
【００２９】
図５は、動作テーブルＴＢを説明するための図である。
動作テーブルＴＢは、どのような種類のスライド操作が行われたかを示す「操作の種類」と、向き検出部７により検出された端末装置の向きを示す「端末方向」と、スライド操作に応じて実行される表示制御の内容を示す「表示制御」を対応付けて記憶する構成となっている。「操作の種類」は、単一のスライド操作（シングルタッチ）と、同時に複数のスライド操作（マルチタッチ）の項目とに大別されている。更に、“シングルタッチ”及び“マルチタッチ”は、“スライド方向に他の画面が存在していない”と、“スライド方向に他の画面が存在している”の項目とに分かれている。そして、「操作の種類」の各項目は、更に「端末方向」により“横向き”と、“縦向き”とに細分化されており、この細分化された個々の項目には、１対１に対応付けて「表示制御」が記憶されている。なお、「表示制御」の内容は、「端末方向」が“横向き”か“縦向き”であるかに関わらず、基本的に同様である。
【００３０】
次に、実施形態における端末装置の動作概念を図６に示すフローチャートを参照して説明する。ここで、このフローチャートに記述されている各機能は、読み取り可能なプログラムコードの形態で格納されており、このプログラムコードにしたがった動作が逐次実行される。また、ネットワークなどの伝送媒体を介して伝送されてきた上述のプログラムコードに従った動作を逐次実行することもできる。すなわち、伝送媒体を介して外部供給されたプログラム／データを利用して本実施形態特有の動作を実行することもできる。
【００３１】
図６は、電源投入に応じて実行開始される端末装置の全体動作の概要を示したフローチャートである。
先ず、制御部１は、電源投入に伴ってメモリなどを初期化する初期設定を行った後（ステップＳ１）、例えば、テキストファイル、画像ファイルなどを読み出して表示させるファイル読出操作が行われたかを調べたり（ステップＳ２）、タッチ画面ＴＤ１、ＴＤ２上へのタッチ操作（スライド操作を含む）が行われたかを調べたり（ステップＳ８）、その他の操作が行われたかを調べたりする（ステップＳ１５）。ここで、その他の操作が行われたときには（ステップＳ１５でＹＥＳ）、その操作に応じた処理として、例えば、しおり機能を起動に応じてテキストファイルなどにマークを付ける処理などを行った後（ステップＳ１６）、上述のステップＳ２に戻る。
【００３２】
ここで、ファイル読出操作が行われたときには（ステップＳ２でＹＥＳ）、向き検出部７の検出結果を取得して端末筐体は縦向きかを調べ（ステップＳ３）、図２（１）で示した縦向きの状態であれば（ステップＳ３でＹＥＳ）、表示方向は縦書きであるかを調べる（ステップＳ４）。いま、図２（１）に示した縦向き状態において、表示方向が上から下への縦書きであれば（ステップＳ４でＹＥＳ）、１頁目の表示情報を右側のタッチ画面ＴＤ２の右上角部から書き始め、２頁目の表示情報を左側のタッチ画面ＴＤ１の右上角部から書き始めるような表示制御を行う（ステップＳ５）。
【００３３】
いま、図２（１）に示す縦向き状態において、表示方向が左から右の横書きであれば（ステップＳ４でＮＯ）、１頁目の表示情報を左側のタッチ画面ＴＤ１の左上角部から書き始め、２頁目の表示情報を右側のタッチ画面ＴＤ１の左上角部から書き始めるような表示制御を行う（ステップＳ６）。一方、端末筐体の向きが、図２（２）に示す横向きの状態であれば（ステップＳ３でＮＯ）、１頁目の表示情報を縦書きの場合は上側のタッチ画面ＴＤ１の右上角部から書き始め、横書きの場合は上側のタッチ画面ＴＤ１の左上角部から書き始め、２頁目の表示情報を縦書きの場合は下側のタッチ画面ＴＤ２の上側のタッチ画面ＴＤ２の右上角部から書き始め、横書きの場合は左上角部から書き始めるような表示制御を行う（ステップＳ７）。その後、上述のステップＳ２に戻る。
【００３４】
一方、タッチ画面ＴＤ１、ＴＤ２上へのスライド操作が行われたときには（ステップＳ８でＹＥＳ）、向き検出部７の検出結果に基づいて端末筐体の向きを特定する（ステップＳ９）。そして、タッチ画面ＴＤ１、ＴＤ２上へのタッチ操作の種類として、シングルタッチかマルチタッチかを特定すると共に（ステップＳ１０）、順方向へのスライド操作か逆方向へのスライド操作かを特定し（ステップＳ１１）、更に、そのスライド方向に他の画面が存在しているか否かを特定する（ステップＳ１２）。これによって特定した端末筐体の向き、シングルタッチ／マルチタッチ、順方向／逆方向、他の画面の存在有無に基づいて動作テーブルＴＢを参照して（ステップＳ１３）、動作テーブルＴＢの内容に応じた表示制御を行う（ステップＳ１４）。その後、上述のステップＳ２に戻る。
【００３５】
以下、動作テーブルＴＢの内容に応じた表示制御（ステップＳ１４）について図３の具体例を参照しながら詳述するものとする。ここで、動作テーブルＴＢに記憶されている表示制御は、端末筐体の向きが横向きか縦向きかに関わらず、基本的に同様であるため、以下、横開き状態（縦向き状態）での表示制御について説明し、縦開き状態（横向き状態）での表示制御の説明は省略するものとする。
【００３６】
先ず、図３（２）に示したように、タッチ画面ＴＤ１に２頁目の情報が表示され、タッチ画面ＴＤ１に２頁目の情報が表示されている状態において、タッチ画面ＴＤ２の左端から右方向に向かってスライド操作（シングルタッチによる順方向への送り操作）が行われた場合について説明する。ここで、タッチ画面ＴＤ２をスライド操作された画面（操作画面）として特定すると共に、その操作画面からどの方向にスライド操作が行われたかを特定した後、操作画面からスライド方向に他の画面が存在しているかを判別し、複数のタッチ画面ＴＤ１、ＴＤ２に対して上述の判別結果に応じた表示制御を行う。
【００３７】
この場合、スライド方向は、図中、右方向であり、この右方向（スライド方向）には他の画面が存在していないので、複数のタッチ画面ＴＤ１、ＴＤ２に対して１画面分の頁送り（順方向への頁送り）を指示する表示制御を行う。その結果、タッチ画面ＴＤ１、ＴＤ２の表示内容は１頁分の頁送りによって、タッチ画面ＴＤ１には３頁目の情報が表示され、タッチ画面ＴＤ２には２頁目の情報が表示されることになる。更に、この状態において、タッチ画面ＴＤ２上において右方向に向うスライド操作（シングルタッチによる順方向への送り操作）が行われると、つまり、１回目と同様のスライド操作が行われると、この２回目のスライド操作に応じて、上述の場合と同様に、タッチ画面ＴＤ１、ＴＤ２の表示内容は１頁分の頁送りによって、タッチ画面ＴＤ１には４頁目の情報が表示され、タッチ画面ＴＤ２には３頁目の情報が表示されることになる。
【００３８】
なお、上述の例は、シングルタッチによる順方向への送り操作が行われた場合を説明したが、シングルタッチによる逆方向への送り操作（図中、左方向への送り操作）が行われた場合でも基本的には同様である。ここで、タッチ画面ＴＤ１に４頁目の情報が表示され、タッチ画面ＴＤ１に３頁目の情報が表示されている状態において、タッチ画面ＴＤ１上において左方向に向うスライド操作が行われた場合には、タッチ画面ＴＤ１をスライド操作された画面（操作画面）として特定するが、この操作画面の左方向（スライド方向）には他の画面が存在していないので、複数のタッチ画面ＴＤ１、ＴＤ２に対して１画面分の頁送り（逆方向への頁送り）を指示する表示制御を行う。その結果、タッチ画面ＴＤ１には３頁目の情報が表示され、タッチ画面ＴＤ２には２頁目の情報が表示されることになる。
【００３９】
更に、この状態において、タッチ画面ＴＤ１上において左方向に向うスライド操作（シングルタッチによる逆方向への送り操作）が行われると、つまり、１回目と同様のスライド操作が行われると、この２回目のスライド操作に応じて、上述の場合と同様に、タッチ画面ＴＤ１、ＴＤ２の表示内容は１頁分の頁送りによって、タッチ画面ＴＤ１には２頁目の情報が表示され、タッチ画面ＴＤ２には１頁目の情報が表示されることになる。
【００４０】
また、図３（３）に示すように、タッチ画面ＴＤ１に２頁目の情報が表示され、タッチ画面ＴＤ２に１頁目の情報が表示されている状態において、タッチ画面ＴＤ１の左端から右方向に向かってスライド操作（シングルタッチによる順方向への送り操作）が行われた場合に、タッチ画面ＴＤ１（操作画面）の右方向（スライド方向）にはタッチ画面ＴＤ２（他の画面）が存在しているので、そのスライド方向に存在する他の画面の数を加味した頁数分の頁送りを、複数のタッチ画面ＴＤ１、ＴＤ２に対して指示する表示制御を行う。この場合、スライド方向に存在する他の画面の数は“１”であり、この他の画面数“１”に“１”を加算した頁数（２）の頁送りを、タッチ画面ＴＤ１、ＴＤ２に対して行う。これによって、タッチ画面ＴＤ１、ＴＤ２の表示内容はそれぞれ２頁分の頁送りが行われる結果、タッチ画面ＴＤ１には４頁目の情報が表示され、タッチ画面ＴＤ２には３頁目の情報が表示されることになる。
【００４１】
更に、この状態において、タッチ画面ＴＤ１上において右方向に向うスライド操作（シングルタッチによる順方向への送り操作）が行われると、つまり、１回目と同様のスライド操作が行われると、この２回目のスライド操作に応じて、上述の場合と同様に、タッチ画面ＴＤ１、ＴＤ２の表示内容は２頁分の頁送りによって、タッチ画面ＴＤ１には６頁目の情報が表示され、タッチ画面ＴＤ２には５頁目の情報が表示されることになる。
【００４２】
また、上述の例は、シングルタッチによる順方向への送り操作が行われた場合を説明したが、シングルタッチによる逆方向への送り操作（図中、左方向への送り操作）が行われた場合でも基本的には同様である。ここで、タッチ画面ＴＤ１に６頁目の情報が表示され、タッチ画面ＴＤ２に５頁目の情報が表示されている状態において、タッチ画面ＴＤ２上において左方向に向うスライド操作が行われた場合には、タッチ画面ＴＤ２（操作画面）の左方向（スライド方向）には他の画面としてタッチ画面ＴＤ１が存在しているので、複数のタッチ画面ＴＤ１、ＴＤ２に対して、他の画面の数を加味した頁数分の頁送りを行う。その結果、タッチ画面ＴＤ１には４頁目の情報が表示され、タッチ画面ＴＤ２には３頁目の情報が表示されることになる。
【００４３】
更に、この状態において、タッチ画面ＴＤ２上において左方向に向うスライド操作（シングルタッチによる逆方向への送り操作）が行われると、つまり、１回目と同様のスライド操作が行われると、この２回目のスライド操作に応じて、上述の場合と同様に、タッチ画面ＴＤ１、ＴＤ２の表示内容は２頁分の頁送りによって、タッチ画面ＴＤ１には２頁目の情報が表示され、タッチ画面ＴＤ２には１頁目の情報が表示されることになる。
【００４４】
図３（４ａ）、（４ｂ）は、２本の指で同時に行う複数のスライド操作（マルチタッチのスライド操作）が行われた場合の画面内容を示し、上述した図３（２）、（３）に対応する表示制御が行われた場合である。すなわち、図３（４ａ）は、複数のスライド操作（マルチタッチ操作）が行われた際に、そのスライド方向に他の画面が存在していない場合での表示制御を説明するための図であり、図３（４ｂ）は、スライド方向に他の画面が存在している場合での表示制御を説明するための図である。この場合、１回目のスライド操作に応じた表示制御（頁送り）を行った後、所定の時間経過時に自動的な頁送りを行うようにしている。なお、所定の時間は、例えば、表示情報が画像であれば５秒、テキストであれば５分などである。
【００４５】
すなわち、図３（４ａ）に示すように、マルチタッチのスライド操作が行われた場合に、そのスライド方向に他の画面が存在していないときには、上述した図３（２）の１回目のスライド操作と同様の頁送りを行った後、所定の時間経過時に自動的な頁送りを行うことにより、上述した図３（２）の２回目のスライド操作と同様の表示内容となる。なお、このことは順方向への送り操作に限らず、逆方向への送り操作であっても同様である。また、図３（４ｂ）に示すように、マルチタッチのスライド操作が行われた場合に、そのスライド方向に他の画面が存在しているときには、上述した図３（３）の１回目のスライド操作と同様の頁送りを行った後、所定の時間経過時に自動的な頁送りを行うことにより、上述した図３（３）の２回目のスライド操作と同様の表示内容となる。なお、このことは順方向への送り操作に限らず、逆方向への送り操作であっても同様である。
なお、図３（４ａ）〜（４ｂ）では、２本の指で同時に行う複数のスライド操作（マルチタッチのスライド操作）の例を説明したが、同時に操作する指の本数は３本以上でもよく、この場合操作する指の本数に応じて自動的に２回目以降の表示制御を行う所定の時間を３本の指の場合は、表示情報が画像であれば７秒、テキストであれば７分などのように変更してもよい。
【００４６】
以上のように、実施形態において制御部１は、複数のタッチ画面ＴＤ１、ＴＤ２に対してスライド操作が行なわれた際に、そのスライド方向に他の画面が存在しているか否かの判別結果に応じた表示制御を行うようにしたので、複数のタッチ画面に対する適切な表示制御を直感的で簡単な操作により実現することができ、実用性に富んだものとなる。
【００４７】
複数のタッチ画面に複数頁分の表示情報が頁順に割り当て表示されている状態において、制御部１は、スライド操作に応じた表示制御として、複数のタッチ画面内の表示情報を順次頁送りするようにしたので、タッチ画面毎に頁送り操作を行うことなく、１回のスライド操作で複数のタッチ画面分の頁送りを一括して行うことができ、操作性の大幅な向上と共に各画面間での頁の一連性を確保することが可能となる。
【００４８】
スライド方向に他の画面が存在していない場合には、複数の画面に対して１画面分の頁送りを指示し、他の画面が存在している場合には、そのスライド方向に存在する他の画面の数を加味した頁数分の頁送りを、複数の画面に対して指示する表示制御を行うようにしたので、簡単かつ自然な操作の違いだけで頁送り量を変えることができる。
【００４９】
同時に複数のスライド操作が行われた場合に、制御部１は、その操作数に応じた回数分の表示制御を所定の時間間隔で連続的に繰り返し実行するようにしたので、簡単かつ自然な操作の違いだけで頁送りの自動表示が可能となる。すなわち、１回のスライド操作で複数のタッチ画面分の制御を自動的に行うことができ、更に操作性を大幅に向上させることが可能となる。
【００５０】
複数のタッチ画面ＴＤ１、ＴＤ２は、独立した複数の表示部５から構成するようにしたので、複数の表示部５が距離的に離れているか否かに関わらず、スライド操作された画面に関連する画面をも含めた複数のタッチ画面に対してスライド操作に応じた表示制御を行うことができる。
【００５１】
なお、上述した実施形態においては、複数の画面として２つのタッチ画面ＴＤ１、ＴＤ２を配設した場合を例示したが、そのタッチ画面数は、３個以上であってもよく、また、その配列の仕方も任意である。例えば、図７は、３つのタッチ画面ＴＤ１、ＴＤ２、ＴＤ３を一列に近接配置した場合を例示したもので、長方体の３つの筐体１１Ａ、１１Ｂ、１１Ｃは、ヒンジ部１２Ａ、１２Ｂを介して折り畳み自在（開閉自在）に連結されており、それらの内面側の略全域には同形同大（長方形）のタッチ画面ＴＤ１、ＴＤ２、ＴＤ３が１つずつ配設されている。
【００５２】
図７（１）は、３つの縦長の筐体１１Ａ、１１Ｂ、１１Ｃが横並びとなるように開いた状態（横開き状態）、つまり、端末筐体全体が横長となるような縦向きにした状態を示し、この縦向き状態（横開き状態）では、３つのタッチ画面ＴＤ１、ＴＤ２、ＴＤ３が互いに接近（近接）した横並び状態（横開き状態）となる。この場合、図示のようにタッチ画面ＴＤ１が左側に、タッチ画面ＴＤ２が中央に、タッチ画面ＴＤ３が右側にそれぞれ位置する配列状態となる。
【００５３】
図７（２）は、図７（１）の状態において端末筐体全体を９０°回転させた状態であり、３つの横長の筐体１１Ａ、１１Ｂ、１１Ｃが縦並びとなるように開いた状態（縦開き状態）、つまり、端末筐体全体が縦長となるような横向きにした状態を示し、この横向き状態（縦開き状態）では、３つのタッチ画面ＴＤ１、ＴＤ２、ＴＤ３が互いに接近（近接）した縦並び状態（縦開き状態）となる。この場合、図示のようにタッチ画面ＴＤ１が上側に、タッチ画面ＴＤ２が中央に、タッチ画面ＴＤ３が下側にそれぞれ位置する配列状態となる。
【００５４】
図８は、上述した図３と同様に、横開き状態（縦向き状態）の３つのタッチ画面ＴＤ１、ＴＤ２、ＴＤ３に複数頁分の表示情報が頁順に割り当て表示されている状態において、つまり、タッチ画面ＴＤ１に３頁目の情報、タッチ画面ＴＤ２に２頁目の情報、タッチ画面ＴＤ３に１頁目の情報が割り当て表示されている状態において、タッチ画面ＴＤ１、ＴＤ２、ＴＤ３に対するスライド操作に応じて実行される表示制御を説明するための図である。図８（１）は、タッチ画面ＴＤ３の範囲内においてシングルタッチによる順方向への送り操作（スライド操作）が行われた際に、上述した図３（２）と同様に、そのスライド方向が、図中、右方向の場合である。この場合、スライド方向（右方向）には他の画面が存在していないので、複数のタッチ画面ＴＤ１、ＴＤ２に対して１画面分の頁送り（順方向への頁送り）を指示する表示制御を行う。
【００５５】
そのような表示制御を行った結果、タッチ画面ＴＤ１には４頁目、タッチ画面ＴＤ２には３頁目、タッチ画面ＴＤ３には２頁目の情報が表示されることになる。更に、この状態において、タッチ画面ＴＤ３上で右方向にシングルタッチによる順方向への送り操作が行われると、１回目と同様に１頁分の頁送りによって、タッチ画面ＴＤ１には５頁目、タッチ画面ＴＤ２には４頁目、タッチ画面ＴＤ３には３頁目の情報が表示されることになる。
【００５６】
図８（２）は、タッチ画面ＴＤ２の範囲内においてシングルタッチによる順方向への送り操作が行われた際に、上述した図３（３）と同様に、このスライド方向（右方向）には他の画面として１個の画面が存在しているので、この他の画面数を加味した頁数（１＋１）分の頁送りを行うことにより、図示のようにタッチ画面ＴＤ１には５頁目、タッチ画面ＴＤ２には４頁目、タッチ画面ＴＤ３には３頁目の情報を表示させる。更に、この状態において、タッチ画面ＴＤ２上で１回目と同様のスライド操作が行われると、この２回目のスライド操作では、図示のようにタッチ画面ＴＤ１には７頁目、タッチ画面ＴＤ２には６頁目、タッチ画面ＴＤ３には５頁目の情報を表示させる。
【００５７】
図８（３）は、シングルタッチによる順方向への送り操作が行われた際に、上述した図３（３）と同様に、このスライド方向（右方向）には他の画面が存在しているので、他の画面の数（２個）を加味した頁数（２＋１）分の頁送りを行うことにより、タッチ画面ＴＤ１には６頁目、タッチ画面ＴＤ２には５頁目、タッチ画面ＴＤ３には４頁目の情報が表示される。更に、この状態において、１回目と同様のスライド操作が行われると、この２回目のスライド操作の結果、図示のようにタッチ画面ＴＤ１には９頁目、タッチ画面ＴＤ２には８頁目、タッチ画面ＴＤ３には７頁目の情報が表示される。
【００５８】
なお、図８は、順方向へのスライド操作が行われた場合での表示制御を示したが、逆方向へのスライド操作が行われた場合での表示制御も基本的には同様である。また、図８は、横開き状態（縦向き状態）でのスライド操作に応じた表示制御を示したが、縦開き状態（横向き状態）でのスライド操作に応じた表示制御も基本的には同様であるため、それらの説明は省略する。このように３つのタッチ画面ＴＤ１、ＴＤ２、ＴＤ３を配置した場合でも２つのタッチ画面ＴＤ１、ＴＤ２を配置した場合と同様の効果を有する。
【００５９】
また、上述した実施形態においては、複数のタッチ画面ＴＤ１、ＴＤ２を独立した複数の表示部５から構成するようにしたが、単一の表示部５を分割することにより複数のタッチ画面を構成するようにしてもよい。図９は、長方体の１つの筐体から成るストレートタイプの端末装置において、その筐体の表面略全域に単一の表示部５を設け、この単一の表示部５を論理的（ソフト的）に分割することにより複数（２又は３個）のタッチ画面を構成した場合を例示したもので、図９（１）、（２）は、単一の表示部５を２等分することによりタッチ画面ＴＤ１、ＴＤ２を構成した場合を示し、図９（３）、（４）は、単一の表示部５を３等分することによりタッチ画面ＴＤ１、ＴＤ２、ＴＤ３を構成した場合を示している。
【００６０】
そして、図９（１）は、筐体全体が横長（縦向き）となる状態、つまり、２つのタッチ画面ＴＤ１、ＴＤ２が横並びとなる状態を示し、この場合、タッチ画面ＴＤ１は左側に、タッチ画面ＴＤ２は右側に配列された状態となる。図９（２）は、筐体全体が縦長（横向き）となる状態、つまり、２つのタッチ画面ＴＤ１、ＴＤ２が縦並びとなる状態を示し、この場合、タッチ画面ＴＤ１は上側に、タッチ画面ＴＤ２は下側に配列された状態となる。図９（３）は、筐体全体が横長（縦向き）となる状態、つまり、３つのタッチ画面ＴＤ１、ＴＤ２、ＴＤ３が横並びとなる状態を示し、この場合、タッチ画面ＴＤ１は左側に、タッチ画面ＴＤ２は中央に、タッチ画面ＴＤ３は右側に配列された状態となる。図９（４）は、筐体全体が縦長（横向き）となる状態、つまり、３つのタッチ画面ＴＤ１、ＴＤ２、ＴＤ３が縦並びとなる状態を示し、この場合、タッチ画面ＴＤ１は上側に、タッチ画面ＴＤ２は中央に、タッチ画面ＴＤ３は下側に配列された状態となる。
【００６１】
このように複数のタッチ画面を単一の表示部５を論理的に分割することにより構成するようにしたので、個々の画面が独立して情報を表示する場合でも、スライド操作された画面に関連する画面をも含めた複数のタッチ画面に対してスライド操作に応じた表示制御を行うことができる。
【００６２】
また、上述した実施形態においては、複数のタッチ画面を一列配設した場合を例示したが、それに限らず、例えば、２列に配列したり、行列のマトリックスに配列したりするなど、上述したように、その配列の仕方は任意であり、また、タッチ画面数も、４つ以上であってもよい。
【００６３】
また、上述した実施形態においては、スライド操作が行われた際に、そのスライド方向に頁送りを行うようにしたが、スライド方向とは逆方向に頁送りを行うようにしてもよい。また、スライド操作に応じた表示制御は、これに限らず、表示情報の消去などであってもよい。
【００６４】
また、上述した実施形態においては、表示部５に接触操作部（透明なタッチセンサ、タッチパネル）６を積層配設することによって構成されたタッチ画面上でスライド操作を行うようにしたが、画面上で行われるスライド操作としては、接触操作に限らず、非接触操作であってもよい。この場合、例えば、静電容量などで近距離に存在する物体の動きを検出する非接触センサを表示部の近傍に設けるようにすれば、ユーザにあっては表示部上の空間を指などで移動させるだけでよく、空間でのスライド操作に応じた表示制御が可能となる。また、表示部上でのスライド操作に限らず、表示部と操作部とが距離的に離れて配設されている場合でも同様に適用可能である。
【００６５】
また、端末装置としては、折り畳みタイプ、ストレートタイプに限らず、例えば、スピントップタイプなど任意の筐体構造であってもよく、その他、端末装置は、携帯電話機に限らず、パーソナルコンピュータ、ＰＤＡ、デジタルカメラ、音楽プレイヤーなどであってもよい。
【００６６】
また、上述した実施形態において示した“装置”や“機”とは、機能別に複数の筐体に分離されていてもよく、単一の筐体に限らない。また、上述したフローチャートに記述した各ステップＳは、時系列的な処理に限らず、複数のステップＳを並列的に処理したり、別個独立して処理したりするようにしてもよい。
【符号の説明】
【００６７】
１  制御部
３  記憶部
４  押釦操作部
５  表示部
６  接触操作部
７  向き検出部
ＴＢ  動作テーブル
ＴＤ１、ＴＤ２、ＴＤ３  タッチ画面
【図１】
0005444073.tif 000002
【図２】
0005444073.tif 000003
【図３】
0005444073.tif 000004
【図４】
0005444073.tif 000005
【図５】
0005444073.tif 000006
【図６】
0005444073.tif 000007
【図７】
0005444073.tif 000008
【図８】
0005444073.tif 000009
【図９】
0005444073.tif 000010